(57)【要約】【課題】本発明は、多くの情報を表示できるとともに視認性に優れたサブディスプレイを備えた携帯電話機を提供する。【解決手段】複数の発光素子１７ａが格子状に配列されてなるディスプレイ１７が外部に露出する位置に設けられた携帯電話機１であって、現在時刻情報、電池残量情報、電波状態情報のいずれかが含まれる複数の情報を取得し、これらの複数の情報を所定時間経過毎に順次切り替えながら前記ディスプレイに表示する表示制御手段を備えた。【選択図】  図２
2009124251.tif 000002
【特許請求の範囲】
【請求項１】
複数の発光素子が格子状に配列されてなるディスプレイが外部に露出する位置に設けられた携帯電話機であって、
現在時刻情報、電池残量情報、電波状態情報のいずれかが含まれる複数の情報を取得し、これらの複数の情報を所定時間経過毎に順次切り替えながら前記ディスプレイに表示する表示制御手段を備えたことを特徴とする携帯電話機。
【請求項２】
複数の発光素子が格子状に配列されてなるディスプレイが外部に露出する位置に設けられた携帯電話機であって、
現在時刻情報、電池残量情報、電波状態情報のいずれかが含まれる複数の情報を取得し、これらの複数の情報を各々個別に前記ディスプレイに表示する表示制御手段と、
前記ディスプレイの表示情報を切り替えるための入力を受け付ける第１の入力受付手段とを備え、
前記表示制御手段は、前記第１の入力受付手段が入力を受け付けたことに基づいて、前記ディスプレイの表示情報を切り替えることを特徴とする請求項１記載の携帯電話機。
【請求項３】
前記ディスプレイの表示情報の表示形式を切り替えるための入力を受け付ける第２の入力受付手段を備え、
前記表示制御手段は、前記ディスプレイに表示されている情報が複数の表示形式を有する場合、前記第２の入力受付手段が入力を受け付けたことに基づいて、前記ディスプレイの表示情報の表示形式を切り替えることを特徴とする請求項２記載の携帯電話機。
【請求項４】
着信状況を示す情報、及びメールの受信状況を示す情報を記憶する記憶手段を備え、
前記表示制御部により取得される複数の情報に、前記記憶手段により記憶された着信状況を示す情報またはメールの受信状況を示す情報が含まれることを特徴とする請求項１または２記載の携帯電話機。
【請求項５】
前記ディスプレイに最後に表示された情報を記憶する記憶手段を備え、
前記表示制御部は、前記ディスプレイに表示する際、前記記憶手段により記憶された情報を始めに表示することを特徴とする請求項１または２記載の携帯電話機。
【発明の詳細な説明】
【技術分野】
【０００１】
本発明は、サブディスプレイとして、複数のＬＥＤからなるＬＥＤディスプレイを備えた携帯電話機に関する。
【背景技術】
【０００２】
最近の携帯電話機において、サブ液晶ディスプレイや各種ＬＥＤが備えられることにより、ユーザが携帯電話機を直接操作しなくてもこの携帯電話機の状態を視認できるようになっている。特に折り畳み式（クラムシェル型）の携帯電話機において、この機能は、閉じたままの状態でユーザが端末状態や現在時刻を確認できることなどから、ユーザにとって便利に使用されている。
【０００３】
すなわち、これらの携帯電話機において、電波状態や電池残量、着信状況、メール受信状況、現在時刻等の情報などについてアイコンを用いてサブ液晶ディスプレイに表示したり、充電中である旨や充電が完了した旨、未読メールがある旨などをＬＥＤを点灯させて通知したりすることにより、ユーザは簡単にこの携帯電話機の状態を確認することができる。
【０００４】
しかしながら、サブ液晶ディスプレイ上の表示ではアイコンが小さ過ぎてユーザにとって認識しづらい上、ディスプレイ自体の視認性にも問題があった。さらにユーザがＬＥＤを用いて未読メールを確認する場合にも、１個のＬＥＤを用いた通知では十分な情報を得ることができないという問題もあった。
【０００５】
そこで、サブ液晶ディスプレイの代わりに他の発光素子を用いた携帯電話機が提案されている（特許文献１参照）。この携帯電話機は、１６セグメントのＬＥＤと単体のＬＥＤとで構成されたサブディスプレイを備えることにより、より多くの情報をサブディスプレイで表示できるようにしたものである。
【特許文献１】特開２００７−１５０７４６号公報
【発明の開示】
【発明が解決しようとする課題】
【０００６】
携帯電話機において、１６セグメントのＬＥＤと単体のＬＥＤとで構成されたサブディスプレイを備えることにより、サブ液晶ディスプレイ及び単体のＬＥＤの双方の機能が具備され、サブディスプレイの視認性を向上させることができる。しかし、配置できるＬＥＤに制限があることから、サブ液晶ディスプレイのように文字や画像等からなる様々な情報を表示することができないという問題があった。
【０００７】
本発明は、上記課題を鑑みなされてものであり、多くの情報を表示できるとともに視認性に優れたサブディスプレイを備えた携帯電話機を提供することを目的とする。
【課題を解決するための手段】
【０００８】
上記課題を解決するために、本発明に係る携帯電話機は、複数の発光素子が格子状に配列されてなるディスプレイが外部に露出する位置に設けられた携帯電話機であって、現在時刻情報、電池残量情報、電波状態情報のいずれかが含まれる複数の情報を取得し、これらの複数の情報を所定時間経過毎に順次切り替えながら前記ディスプレイに表示する表示制御手段を備えたことを特徴とする。
【発明の効果】
【０００９】
本発明に係る携帯電話機によると、複数のＬＥＤが格子状に配列されてなるサブディスプレイを備えることにより、サブディスプレイに多くの情報が表示できる上、サブディスプレイ自体の視認性を向上させることが可能となる。
【発明を実施するための最良の形態】
【００１０】
本発明に係る携帯電話機の実施形態について、添付図面を参照しながら説明する。本発明に係る携帯電話機として、複数の筐体が開閉自在に結合されてなるクラムシェル型の携帯電話機を例にあげて説明する。図１（Ａ）は、携帯電話機１の開状態を示す正面図、図１（Ｂ）は、携帯電話機１の開状態を示す側面図である。また、図２（Ａ）は、携帯電話機１の閉状態を示す背面図、図２（Ｂ）は、携帯電話機１の閉状態を示す側面図である。
【００１１】
携帯電話機１は、図１及び図２に示すように、主に、矩形の板状の上筐体１０と、この上筐体１０とほぼ同形状をした下筐体１１とにより構成されていて、これらの上筐体１０及び下筐体１１は、閉状態において相互に一面を覆うように積層されている。また、上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。携帯電話機１は、上筐体１０を下筐体１１に対して回転させることにより、閉状態から開状態に、あるいは開状態から閉状態に変形する。
【００１２】
上筐体１０の内面（下筐体１１に対面する側の面）には、文字や画像等の表示情報を表示するための液晶ディスプレイ１３、音声を出力するためのスピーカ１４が設けられている。これらの液晶ディスプレイ１３やスピーカ１４は、携帯電話機１が閉状態のときには、下筐体１１により覆われていて外部に露出していないが、上筐体１０を下筐体１１に対して回転させて開状態に変形させたときに、外部に露出される。
【００１３】
下筐体１１の内面（上筐体１０に対面する側の面）には、例えば、カーソルを上下左右に移動させるための十字キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉状態のときには、上筐体１０により覆われていて外部に露出していないが、上筐体１０を下筐体１１に対して回転させて開状態に変形させたときに、外部に露出される。
【００１４】
下筐体１１の外面（上筐体１０に対面しない側の面）には、ＬＥＤディスプレイ１７が設けられている。ＬＥＤディスプレイ１７は、図３に示すように、複数のＬＥＤ（発光素子）１７ａが平面上に格子状に配列されて形成されている。ここでは、例えば、ＬＥＤ１７ａが７行７列の正方格子状に配列されることにより、ＬＥＤディスプレイ１７が形成されているものとする。ＬＥＤディスプレイ１７は、携帯電話機１の開閉状態によらず、常に外部に露出する位置に設けられている。このＬＥＤディスプレイ１７において、各々のＬＥＤ１７ａが点灯したり消灯したりすることにより文字や画像等の表示情報が表示され、ユーザは、携帯電話機１が閉状態であっても、これらの表示情報を視認することができる。
【００１５】
また、下筐体１１の外面には、ＬＥＤディスプレイ１７に表示される情報を切り替えるための第１キー１５ａ、第２キー１５ｂが設けられている。これらの第１キー１５ａ、第２キー１５ｂは、携帯電話機１の開閉状態によらず、常に外部に露出する位置に設けられている。ユーザは、携帯電話機１が閉状態であっても、これらの第１キー１５ａまたは第２キー１５ｂを押下して、ＬＥＤディスプレイ１７における表示情報を切り替えることができる。ここでは、第１キー１５ａは表示内容を切り替える時に使用され、第２キー１５ｂは主に表示形式を切り替える時に使用されるものとする。
【００１６】
また、下筐体１１の側面には複数のサイドキー１５ｃ、１５ｄが設けられている。これらのサイドキー１５ｃ、１５ｄは、携帯電話機１の開閉状態によらず、常に外部に露出する位置に設けられている。これらのサイドキー１５ｃ、１５ｄに任意の機能を設定することにより、ユーザは、携帯電話機１が閉状態であっても、これらのサイドキー１５ｃ、１５ｄを押下して様々な機能を起動することができる。
【００１７】
次に、携帯電話機１の機能について、図４に示す機能ブロック図を用いて説明する。携帯電話機１は、図４に示すように、主制御部２０、電源回路部２１、操作入力制御部２２、表示制御部２３、ＬＥＤ制御部２４、音声制御部２５、通信制御部２６、及び記憶部２７がバスによって相互に接続されて構成されている。
【００１８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するＬＥＤ表示制御処理や、その他の様々な演算処理や制御処理等を行う。また、主制御部２０は現在日時を計時しており、ＬＥＤ表示制御処理を行う際に、現在日時を示す時間情報をＬＥＤディスプレイ１７に表示する。また主制御部２０はタイマー機能を有し、ＬＥＤ表示制御処理を行う際に所定時間の経過を計時する。
【００１９】
電源回路部２１は、ユーザによる操作キー１５を介した入力に基づいて電源のオン／オフ状態を切り替え、電源がオン状態の場合に電力供給源（バッテリ等）から各部に対して電力を供給して、携帯電話機１を動作可能にする。また電源回路部２１は、主制御部２０から要求があった場合に、電力供給源の電池残量を示す電池情報を生成し、この電池情報を主制御部２０に伝送する。
【００２０】
操作入力制御部１２は操作キー１５、第１キー１５ａ、第２キー１５ｂ、サイドキー１５ｃ、１５ｄに対する入力インタフェースを備え、これらの操作キー１５、第１キー１５ａ、第２キー１５ｂ、サイドキー１５ｃ、１５ｄを介して入力された信号を主制御部２０に伝送する。表示制御部２３は液晶ディスプレイ１３に対する表示インタフェースを備え、主制御部２０の制御に基づいて、文字や画像等の表示情報を液晶ディスプレイ１３に表示させる。
【００２１】
ＬＥＤ制御部２４は、ＬＥＤディスプレイ１７の各々のＬＥＤ１７ａに対する出力インタフェースを備え、主制御部２０の制御に基づいて、各々のＬＥＤ１７ａを点灯させたり消灯させたりすることにより、ＬＥＤディスプレイ１７に文字や画像等の表示情報を表示させる。
【００２２】
また携帯電話機１は、他の携帯電話機や固定電話機に対して、基地局（図示せず）を介して音声通話処理を行う。すなわち音声制御部２５は、主制御部２０の制御に基づいて、マイクロフォン１６が集音した音声を取得して、この音声のアナログ信号をデジタル信号に変換し、通信制御部２６に伝送する。通信制御部２６は、このデジタル信号をスペクトラム拡散処理して送受信回路部３０に伝送する。送受信回路部３０は、このデジタル信号をアンテナ３１を介して基地局に送信する。
【００２３】
また通信制御部２６は、送受信回路部３０がアンテナ３１を介して基地局から受信したデジタル信号をスペクトラム逆拡散処理して音声制御部２５に伝送する。音声制御部２５は、音声通話の際に、通信制御部２６から取得したデジタル信号をアナログ信号に変換して、この音声をスピーカ１４から出力する。
【００２４】
携帯電話機１は、他の携帯電話機や通信機器に対してデータ通信処理を行う。すなわち携帯電話機１は、電子メールやＷｅｂ閲覧データ、画像データ等の様々なデータの送受信処理を行う。主制御部２０は、データを受信する際、送受信回路部３０がアンテナ３１を介して基地局から受信した受信信号を通信制御部２６でスペクトラム逆拡散処理して、データを復元する。このデータは、主制御部２０の指示により、表示制御部２３を介して液晶ディスプレイ１３に表示されたり記憶部２７に記録されたりする。また主制御部２０は、操作入力部２２を介して入力されたデータや記憶部２７に記憶されたデータを送信する際、通信制御部２６がデータに対してスペクトラム拡散処理を行い、送受信回路部３０がアンテナ３１を介して基地局に送信する。
【００２５】
また、通信制御部２６は携帯電話機１の電波状態を管理していて、主制御部２０は、通信制御部２６からこの電波状態を示す情報を取得することにより、液晶ディスプレイ１３に電波状態を表示する。さらに通信制御部２６は、主制御部２０から要求があった場合に、電波状態を示す電波情報を生成し、この電波情報を主制御部２０に伝送する。
【００２６】
記憶部２７は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。
【００２７】
また記憶部２７は、他の携帯電話機や固定電話からの着信件数、他の携帯電話機や通信機器からのメールの受信件数等、着信の状況やメールの受信状況に関する情報をお知らせ情報として記憶している。また記憶部２７は、定期的に所定サーバから受信しているニュース情報等も、お知らせ情報として記憶している。
【実施例１】
【００２８】
携帯電話機１がＬＥＤ表示制御処理を行う実施例１を、図５及び図６を用いて説明する。実施例１として、携帯電話機１の電源が起動された場合や、ユーザによる第１キー１５ａを介した入力等により指示された場合、または予め指定された時刻になった場合等のタイミングで、ＬＥＤディスプレイ１７に現在時刻等の情報を順次切り替えて表示する例について説明する。
【００２９】
携帯電話機１がこのＬＥＤ表示制御処理を行う際の手順について、図５に示すフローチャート、図６（Ａ）乃至図６（Ｅ）に示す画面図に基づいて説明する。なお、電源が起動されることに基づいてＬＥＤ表示制御処理を開始する場合について説明する。以下、例えば「ステップＳ１０１」を「Ｓ１０１」のように、「ステップ」の語句を省略して説明する。
【００３０】
始めに主制御部２０は、携帯電話機１の電源が起動されたか否かを判断する（Ｓ１０１）。電源が起動されていない場合（Ｓ１０１のＮｏ）は、主制御部２０はそのまま待機する。携帯電話機１の電源が起動された場合（Ｓ１０１のＹｅｓ）は、主制御部２０は、計時している現在時刻をＬＥＤディスプレイ１７に表示する（Ｓ１０３）。なお、ステップＳ１０３以降の動作の契機は、電源が起動されたことに限定されず、所定の操作キー１５、第１キー１５ａ、第２キー１５ｂ、サイドキー１５ｃ、１５ｄのうちの１つまたは複数が押下されたことを主制御部２０が検出した場合、携帯電話機１が閉じている状態から開いている状態に変化した旨の信号を図示しないセンサより主制御部２０が受信した場合、所定の時刻になったと主制御部２０が判断した場合などを契機に動作するようにしてもよい。
【００３１】
例えば現在時刻が１２時３０分であった場合には、ＬＥＤディスプレイ１７には、図６（Ａ）及び図６（Ｂ）に示すように、所定の位置のＬＥＤ１７ａが点灯することにより、「１２：３０」の文字情報が表示される。具体的には、ＬＥＤディスプレイ１７において、図６（Ａ）から図６（Ｂ）に向かって「１２：３０」の文字情報がスクロール表示されるとともに、現在時刻を表示している間中、このスクロール表示が繰り返される。なお、図６（及び図９）において、点灯しているＬＥＤ１７ａが黒塗りで、点灯していないＬＥＤ１７ａが白塗りで表示されている。
【００３２】
主制御部２０は、所定時間（例えば５秒）が経過したか否かを判断する（Ｓ１０５）。この所定時間を示す情報が予め設定されて記憶部２７に記憶されていて、主制御部２０は、この所定時間を示す情報に基づいて、所定時間の経過を計時している。所定時間が経過していない場合（Ｓ１０５のＮｏ）は、主制御部２０は所定時間が経過するまで待機する。この際、主制御部２０は、ＬＥＤディスプレイ１７における現在時刻の表示を継続する。
【００３３】
所定時間が経過した場合（Ｓ１０５のＹｅｓ）は、主制御部２０は、携帯電話機１の電池残量を示す電池情報を電源回路部２１から取得し、この電池情報に基づいて、電池残量をＬＥＤディスプレイ１７に表示する。（Ｓ１０７）。例えばＬＥＤディスプレイ１７には、図６（Ｃ）に示すように、電池の枠内に描かれた棒の数によって電池残量を表す画像が表示される。
【００３４】
主制御部２０は、再び、所定時間（例えば５秒）が経過したか否かを判断する（Ｓ１０９）。所定時間が経過していない場合（Ｓ１０９のＮｏ）は、主制御部２０は所定時間が経過するまで待機する。この際、主制御部２０は、ＬＥＤディスプレイ１７における電池残量の表示を継続する。
【００３５】
所定時間が経過した場合（Ｓ１０９のＹｅｓ）は、主制御部２０は、携帯電話機１の電波状態を示す電波情報を通信制御部２６から取得し、この電波情報に基づいて、電波状態をＬＥＤディスプレイ１７に表示する。（Ｓ１１１）。例えばＬＥＤディスプレイ１７には、図６（Ｄ）に示すように、アンテナの横に描かれた棒の数によって電波状態を表す画像が表示される。
【００３６】
主制御部２０は、再び、所定時間（例えば５秒）が経過したか否かを判断する（Ｓ１１３）。所定時間が経過していない場合（Ｓ１１３のＮｏ）は、主制御部２０は所定時間が経過するまで待機する。この際、主制御部２０は、ＬＥＤディスプレイ１７における電波状態の表示を継続する。
【００３７】
所定時間が経過した場合（Ｓ１１３のＹｅｓ）は、主制御部２０は、着信があったか否か、メールを受信したか否か等を表すお知らせ情報を記憶部２７から取得し、このお知らせ情報をＬＥＤディスプレイ１７に表示する。（Ｓ１１５）。例えばＥメールを受信した場合には、ＬＥＤディスプレイ１７には、図６（Ｅ）に示すように、Ｅメールを受信した旨を示す画像が表示される。
【００３８】
主制御部２０は、再び、所定時間（例えば５秒）が経過したか否かを判断する（Ｓ１１７）。所定時間が経過していない場合（Ｓ１１７のＮｏ）は、主制御部２０は所定時間が経過するまで待機する。この際、主制御部２０は、ＬＥＤディスプレイ１７におけるお知らせ情報の表示を継続する。所定時間が経過した場合（Ｓ１１７のＹｅｓ）には、主制御部２０は、ＬＥＤディスプレイ１７における表示処理を終了する。
【００３９】
なお、ステップＳ１０３、Ｓ１０７、Ｓ１１１、Ｓ１１５にて表示される情報は、上述した情報に限定されず、例えば前回最後に表示された情報から順次表示される等、任意の表示情報、任意の表示順であって構わない。
【００４０】
このようにして携帯電話機１は、複数のＬＥＤ１７ａが格子状に配列されてなるＬＥＤディスプレイ１７に対して、電池残量や電波状態、着信状況やメール受信状況、現在時刻等の情報を文字や画像等を用いて表示するとともに、表示情報を所定時間経過ごとに順次切り替える。
【００４１】
本発明に係る携帯電話機１の実施例１によると、複数のＬＥＤが格子状に配列されてなるＬＥＤディスプレイ１７をサブディスプレイとして備え、このＬＥＤディスプレイ１７に電池残量や電波状態、着信状況やメール受信状況、現在時刻等を順次切り替えながら表示することにより、サブディスプレイに多くの情報が表示できるとともにサブディスプレイ自体の視認性を向上させることが可能となる。
【実施例２】
【００４２】
携帯電話機１がＬＥＤ表示制御処理を行う実施例２を、図７乃至図９を用いて説明する。実施例２として、携帯電話機１において、電源が起動された場合や、ユーザによる操作キー１５を介した入力等により指示された場合、予め指定された時刻になった場合等のタイミングで、予め設定されている設定情報４０に基づいて、ＬＥＤディスプレイ１７に現在時刻等の情報が表示されるとともに、この時に表示される情報がユーザにより手動で切り替えられる例について説明する。
【００４３】
設定情報４０は、ＬＥＤディスプレイ１７に表示される情報に関する設定情報であり、ユーザにより操作キー１５を介して入力される等により、記憶部２７に予め記憶されている。設定情報４０は、例えば図７に示すように、表示形式情報４０ａ、前回表示情報４０ｂ、前回時刻表示情報４０ｃ、Ｅメール表示情報４０ｄ、Ｃメール表示情報４０ｅ、着信表示情報４０ｆ、ニュース表示情報４０ｇ、前回お知らせ表示情報４０ｈ等を含んでいる。
【００４４】
表示形式情報４０ａは、ＬＥＤディスプレイ１７における表示形式を示す情報であり、例えば、表示情報が予め設定されている表示順で順次切り替わる「自動」、ユーザによる指示に基づいて表示情報が切り替わる「手動」、表示情報がランダムに選択されて順次切り替わる「ランダム」、表示情報が前回表示された時の表示順で順次切り替わる「前回」等がある。なお、表示形式情報４０ａが「自動」に設定されている場合には、主制御部２０は、実施例１で説明したようなＬＥＤ表示制御処理を行う。また、ユーザにより操作キー１５を介して予め入力された表示順で順次切り替わるような設定があっても良い。
【００４５】
前回表示情報４０ｂは、ＬＥＤディスプレイ１７において前回、最後に表示された表示情報を示す情報であり、例えば「現在時刻」、「電池残量」、「電波状態」、「お知らせ情報」等がある。この前回表示情報４０ｂは、ＬＥＤディスプレイ１７上の表示を行うたびに更新される。また、この前回表示情報４０ｂは、ＬＥＤ表示制御処理を開始する際に、前回最後に表示された情報から表示を始める場合に使用される。
【００４６】
前回時刻表示情報４０ｃは、ＬＥＤディスプレイ１７において前回、最後に現在時刻が表示された時の表示形式を示す情報であり、例えば、時計の針を用いて現在時刻を表現する「アナログ」、数字を用いて現在時刻を表現する「デジタル」等がある。この前回時刻表示情報４０ｃは、ＬＥＤ表示制御処理において現在時刻を表示する際に、前回最後に表示された表示形式で表示する場合に使用される。
【００４７】
Ｅメール表示情報４０ｄは、ＬＥＤディスプレイ１７においてＥメールの受信状況を表示するか否かを示す情報であり、例えば表示する場合は「ＯＮ」、表示しない場合は「ＯＦＦ」で表される。Ｃメール表示情報４０ｅは、ＬＥＤディスプレイ１７においてＣメール（インターネット接続を利用しない通信方式を用いたショートメッセージサービス）の受信状況を表示するか否かを示す情報であり、例えば表示する場合は「ＯＮ」、表示しない場合は「ＯＦＦ」で表される。
【００４８】
着信表示情報４０ｆは、ＬＥＤディスプレイ１７において着信の状況を表示するか否かを示す情報であり、例えば表示する場合は「ＯＮ」、表示しない場合は「ＯＦＦ」で表される。ニュース表示情報４０ｇは、ＬＥＤディスプレイ１７においてニュース情報を表示するか否かを示す情報であり、例えば表示する場合は「ＯＮ」、表示しない場合は「ＯＦＦ」で表される。なお、ニュース情報の内容としては、ニュースそのものの情報に限定されず、ニュースを何件受信しているかの情報であってもよいし、件数に加えてニュースを受信した時刻を含むものであってもよい。
【００４９】
前回お知らせ表示情報４０ｈは、ＬＥＤディスプレイ１７において前回お知らせ情報が表示された時に最後に表示された表示情報を示す情報であり、例えば「着信」、「Ｅメール」、「Ｃメール」、「ニュース」等がある。このお知らせ表示情報４０ｈは、ＬＥＤ表示制御処理においてお知らせ情報を表示する際に、前回最後に表示された情報から表示を始める場合に使用される。
【００５０】
例えば図７に示す設定情報４０では、表示方法情報４０ａとして「手動」が、前回表示情報４０ｂとして「お知らせ」が、前回時計表示情報４０ｃとして「アナログ」が、Ｅメール表示情報４０ｄとして「ＯＮ」が、Ｃメール表示情報４０ｅとして「ＯＮ」が、着信表示情報４０ｆとして「ＯＮ」が、ニュース表示情報４０ｇとして「ＯＮ」が、前回お知らせ表示情報４０ｈとして「Ｃメール」が、それぞれ記憶されている。
【００５１】
携帯電話機１が、この設定情報４０に基づいてＬＥＤ表示制御処理を行う際の手順について、図８に示すフローチャート、図９（Ａ）乃至図９（Ｅ）に示す画面図に基づいて説明する。なお、ユーザにより指示されることに基づいてＬＥＤ表示制御処理が開始されるとともに、図７に示すように、表示形式情報４０ａが「手動」に設定されていることに基づいて、ＬＥＤディスプレイ１７に表示されている表示情報がユーザによる指示に基づいて切り替えられるものとする。
【００５２】
始めに主制御部２０は、ユーザによりＬＥＤディスプレイ１７の表示が指示されたか否かを判断する（Ｓ２０１）。この際、ユーザによる第１キー１５ａを介した入力等により、表示が指示される。なお、Ｓ２０１以降の動作の契機は、実施例１同様、これに限定されず、第１キー１５ａ、第２キー１５ｂ、サイドキー１５ｃ、１５ｄのうちの１つまたは複数が押下されたことを主制御部２０が検出した場合、携帯電話機１が閉じている状態から開いている状態に変化した旨の信号を図示しないセンサより主制御部２０が受信した場合などを契機に動作するようにしてもよい。
【００５３】
ＬＥＤディスプレイ１７の表示が指示されていない場合（Ｓ２０１のＮｏ）は、主制御部２０はそのまま待機する。ＬＥＤディスプレイ１７の表示が指示された場合（Ｓ２０１のＹｅｓ）は、主制御部２０は、計時している現在時刻をＬＥＤディスプレイ１７に表示する（Ｓ２０３）。
【００５４】
この際、現在時刻を、前回最後に表示した時と同様の表示形式で表示すると良い。すなわち、前回時刻表示情報４０ｃとして「デジタル」が設定されているため、実施例１において説明したように、ＬＥＤディスプレイ１７には、図６（Ａ）及び図６（Ｂ）に示すように、所定の位置のＬＥＤ１７ａが点灯することにより、「１２：３０」の文字情報が表示される。
【００５５】
主制御部２０は、第２キー１５ｂが押されたか否かを判断する（Ｓ２０５）。ユーザは、現在時刻の表示形式を切り替えたい時に、第２キー１５ｂを押下する。第２キー１５ｂが押された場合（Ｓ２０５のＹｅｓ）は、主制御部２０は、ステップＳ２０３にて表示した現在時刻について、表示形式を切り替えて、再びＬＥＤディスプレイ１７に表示する（Ｓ２０７）。具体的には、ステップＳ２０３にて現在時刻を「デジタル」の表示形式で表示した場合、「アナログ」の表示形式に切り替え、ステップＳ２０３にて現在時刻を「アナログ」の表示形式で表示した場合、「デジタル」の表示形式に切り替える。
【００５６】
ステップＳ２０３にて、前回時刻表示情報４０ｃとして「デジタル」が設定されていることに基づいて、ＬＥＤディスプレイ１７に現在時刻を「デジタル」の表示形式で表示しているので、この現在時刻の表示を「アナログ」の表示形式に切り替える。例えば現在時刻が１２時３０分であった場合には、ＬＥＤディスプレイ１７には、図９（Ａ）に示すように、所定の位置のＬＥＤ１７ａが点灯することにより、時計の短針及び長針が１２時３０分を指している画像が表示される。
【００５７】
主制御部２０は、第１キー１５ａが押されたか否かを判断する（Ｓ２０９）。ユーザは、ＬＥＤディスプレイ１７に表示される表示情報を切り替えたい時に、第１キー１５ａを押下する。第１キー１５ａが押されていない場合（Ｓ２０９のＮｏ）は、ステップＳ２０５に戻って、主制御部２０は再び第２キー１５ｂが押されたか否かを判断する。
【００５８】
第１キー１５ａが押された場合（Ｓ２０９のＹｅｓ）は、主制御部２０は、携帯電話機１の電池残量を示す電池情報を電源回路部２１から取得し、この電池情報に基づいて、電池残量をＬＥＤディスプレイ１７に表示する。（Ｓ２１１）。例えばＬＥＤディスプレイ１７には、図６（Ｃ）に示すように、電池の枠内に描かれた棒の数によって電池残量を表す画像が表示される。
【００５９】
主制御部２０は、第１キー１５ａが押されたか否かを判断する（Ｓ２１３）。第１キー１５ａが押されていない場合（Ｓ２１３のＮｏ）は、主制御部２０は第１キー１５ａが押されるまで待機する。第１キー１５ａが押された場合（Ｓ２１３のＹｅｓ）は、主制御部２０は、携帯電話機１の電波状態を示す電波情報を通信制御部２６から取得し、この電波情報に基づいて、電波状態をＬＥＤディスプレイ１７に表示する。（Ｓ２１５）。例えばＬＥＤディスプレイ１７には、図６（Ｄ）に示すように、アンテナの横に描かれた棒の数によって電波状態を表す画像が表示される。
【００６０】
主制御部２０は、第１キー１５ａが押されたか否かを判断する（Ｓ２１７）。第１キー１５ａが押されていない場合（Ｓ２１７のＮｏ）は、主制御部２０は第１キー１５ａが押されるまで待機する。第１キー１５ａが押された場合（Ｓ２１７のＹｅｓ）は、主制御部２０はお知らせ情報を記憶部２７から取得し、このお知らせ情報をＬＥＤディスプレイ１７に表示する（Ｓ２１９）。
【００６１】
この際、お知らせ情報を、前回最後に表示した時と同様の表示内容で表示すると良い。すなわち、前回お知らせ表示情報４０ｈとして「Ｃメール」が設定されているため、ＬＥＤディスプレイ１７には、図９（Ｂ）に示すように、所定の位置のＬＥＤ１７ａが点灯することにより、Ｃメールを受信した旨を示す画像が表示される。
【００６２】
主制御部２０は、第２キー１５ｂが押されたか否かを判断する（Ｓ２２１）。ユーザは、お知らせ情報の表示形式を切り替えたい時に、第２キー１５ｂを押下する。第２キー１５ｂが押された場合（Ｓ２２１のＹｅｓ）は、主制御部２０は、ステップＳ２１９にて表示したお知らせ情報について、表示形式を切り替えて、再びＬＥＤディスプレイ１７に表示する（Ｓ２２３）。具体的には、ステップＳ２１９にてお知らせ情報としてＥメールに関する情報を表示した場合、Ｃメールに関する情報に切り替え、ステップＳ２１９にてＣメールに関する情報を表示した場合、着信に関する情報に切り替え、ステップＳ２１９にて着信に関する情報を表示した場合、ニュース情報に切り替え、また、ステップＳ２１９にてニュース情報を表示した場合、Ｅメールに関する情報に切り替える。
【００６３】
ステップＳ２１９にて、前回お知らせ表示情報４０ｈとして「Ｃメール」が設定されていることに基づいて、ＬＥＤディスプレイ１７にお知らせ情報としてＣメールに関する情報を表示しているので、このお知らせ情報の表示を着信に関する情報に切り替える。例えば携帯電話機１に着信があった場合には、ＬＥＤディスプレイ１７には、図９（Ｃ）に示すように、所定の位置のＬＥＤ１７ａが点灯することにより、着信があった旨を示す画像が表示される。
【００６４】
また仮に、ステップＳ２１９にて、ＬＥＤディスプレイ１７にお知らせ情報として着信に関する情報が表示されていた場合、このお知らせ情報の表示をニュース情報に切り替える。例えば記憶部２７に「キョウノ・・・」のニュース情報が記憶されていた場合には、ＬＥＤディスプレイ１７には、図９（Ｄ）及び図９（Ｅ）に示すように、所定の位置のＬＥＤ１７ａが点灯することにより、「キョウノ・・・」の文字情報がスクロール表示されるとともに、ニュース情報を表示している間中、このスクロール表示が繰り返される。
【００６５】
主制御部２０は、第１キー１５ａが押されたか否かを判断する（Ｓ２２５）。第１キー１５ａが押されていない場合（Ｓ２２５のＮｏ）は、ステップＳ２２１に戻って、主制御部２０は再び第２キー１５ｂが押されたか否かを判断する。第１キー１５ａが押された場合（Ｓ２２５のＹｅｓ）には、ステップＳ２０３に戻って、主制御部２０は、現在時刻をＬＥＤディスプレイ１７に表示するとともに、ステップ２０５乃至ステップ２２５の処理を繰り返す。
【００６６】
なお、第１キー１５ａ、第２キー１５ｂのいずれも押下されない状態が所定時間が経過した時に、ＬＥＤディスプレイ１７における表示を終了するようにしても良い。
【００６７】
このようにして携帯電話機１は、複数のＬＥＤ１７ａが格子状に配列されてなるＬＥＤディスプレイ１７に、電池残量や電波状態、着信状況やメール受信状況、現在時刻等の情報を文字や画像を用いて表示するとともに、ユーザの指示に基づいて表示情報を切り替える。
【００６８】
本発明に係る携帯電話機１の実施例２によると、複数のＬＥＤが格子状に配列されてなるＬＥＤディスプレイ１７をサブディスプレイとして備え、このＬＥＤディスプレイ１７に電池残量や電波状態、着信状況やメール受信状況、現在時刻等を表示するとともに、表示情報をユーザの指示に基づいて切り替えることにより、サブディスプレイに多くの情報が表示できる上、サブディスプレイの視認性を向上させることが可能となる。
【００６９】
なお、実施例１及び実施例２として、「現在時刻」、「電池残量」、「電波状態」、「お知らせ情報」の表示順で表示される例について説明したが、これに限定されず、前回表示情報４０ｂとして記憶されている「お知らせ」から表示されたり、ユーザにより予め指定された情報から表示されたりしても良い。
【００７０】
また、実施例１及び実施例２として、「現在時刻」、「電池残量」、「電波状態」、「お知らせ情報」等の情報が表示される例について説明したが、これに限定されず、例えばユーザにより指定された情報等、任意の情報が表示されて良い。
【００７１】
また、実施例１及び実施例２として、第１キー１５ａ及び第２キー１５ｂを用いてＬＥＤディスプレイ１７の表示情報を切り替える例について説明したが、これに限定されず、サイドキー１５ｃ、１５ｄ等の任意の操作キー１５にこれらの機能を持たせて良い。また、任意の操作キー１５に、ＬＥＤディスプレイ１７での表示を終了するための機能を持たせても良い。
【００７２】
また、第１キー１５ａ、第２キー１５ｂ、サイドキー１５ｃ、１５ｄ等の任意の操作キー１５に、ＬＥＤディスプレイ１７上の表示情報の表示順を設定しておき、ユーザがこれら操作キー１５を操作することで、ＬＥＤディスプレイ１７上の表示情報を切り替えるようにしても良い。例えば、サイドキー１５ｃが押下された場合は、現在時刻→電池残量→電波状態→お知らせ情報、の表示順で表示させ、サイドキー１５ｄが押下された場合は、お知らせ情報→電波状態→電池残量→現在時刻、の表示順で表示させるようにすることにより、ユーザは、サイドキー１５ｃとサイドキー１５ｄとを使い分けて、各々の表示情報を行き来させながら表示させることができる。
【００７３】
また、操作キー１５の長押し(例えば３秒以上)／リピート／同時押し等のそれぞれに異なった機能を設定しておくことで、ユーザがこれらの操作キー１５を操作するによりＬＥＤディスプレイ１７上での表示内容を切り替えるようにしても良い。例えば、ユーザにより第１キー１５ａが長押しされた場合に、表示情報を所定時間ごとに切り替えるようにし、再びユーザにより第１キー１５ａが押下された場合に、表示内容の切り替えを停止してその時の表示情報で固定するようにしても良い。
【００７４】
また、携帯電話機１が起動された場合やユーザによりＬＥＤディスプレイ１７への表示が指示された場合等のタイミングで、ＬＥＤ表示制御処理を行う例について説明したが、これに限定されず、携帯電話機１の電源がＯＮになっている間、ＬＥＤディスプレイ１７への表示が常時行われるようにしても良い。
【００７５】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯型テレビ、家庭用電気製品、ゲーム機器等の任意の通信端末であっても良い。
【図面の簡単な説明】
【００７６】
【図１】（Ａ）は、本発明に係る携帯電話機の開状態を示す正面図、（Ｂ）は、本発明に係る携帯電話機の開状態を示す側面図。
【図２】（Ａ）は、本発明に係る携帯電話機の閉状態を示す背面図、（Ｂ）は、本発明に係る携帯電話機の閉状態を示す側面図。
【図３】本発明に係る携帯電話機のＬＥＤディスプレイを示す構成図。
【図４】本発明に係る携帯電話機の機能ブロック図。
【図５】本発明に係る携帯電話機においてＬＥＤ表示制御処理を行う際の実施例１の手順を示すフローチャート。
【図６】（Ａ）乃至（Ｅ）は、本発明に係る携帯電話機のＬＥＤディスプレイの画面図。
【図７】設定情報を示すデータ構成図。
【図８】本発明に係る携帯電話機においてＬＥＤ表示制御処理を行う際の実施例２の手順を示すフローチャート。
【図９】（Ａ）乃至（Ｅ）は、本発明に係る携帯電話機のＬＥＤディスプレイの画面図。
【符号の説明】
【００７７】
１…携帯電話機，１０…上筐体，１１…下筐体，１２…ヒンジ部，１３…液晶ディスプレイ，１４…スピーカ，１５…操作キー，１５ａ…第１キー，１５ｂ…第２キー，１５ｃ、１５ｄ…サイドキー，１６…マイクロフォン，１７…ＬＥＤディスプレイ，１７ａ…ＬＥＤ，２０…主制御部，２１…電源回路部，２２…操作入力制御部，２３…表示制御部，２４…ＬＥＤ制御部，２５…音声制御部，２６…通信制御部，２７…記憶部，３０…送受信回路部，３１…アンテナ，４０…設定情報。
【図１】
2009124251.tif 000003
【図２】
2009124251.tif 000004
【図３】
2009124251.tif 000005
【図４】
2009124251.tif 000006
【図５】
2009124251.tif 000007
【図６】
2009124251.tif 000008
【図７】
2009124251.tif 000009
【図８】
2009124251.tif 000010
【図９】
2009124251.tif 000011